(57)【特許請求の範囲】
【請求項１】
支柱を変形させる仕組みを持ったハンドル、上部はそのハンドルと付着し下部が底面と付着している支柱そして、上表面部は支柱と付着し下表面部はヤスリや研磨剤を備えている底面、という３つの構成要素からなる、弦楽器のフレット、フレットボードまたは指板に徐々にかかった弧を造形するための研磨用の器具。
【請求項２】
前記ハンドルは、少なくとも１以上の穴が設けられる、
請求項１に記載の研磨用の器具。
【請求項３】
前記底面は、
フレット４つ分以上の長さ、弦楽器のフレットボードもしくは指板の長さまたはナットから最終フレットまでの長さを覆う形状である、
請求項１に記載の研磨用の器具。
【請求項４】
前記底面は、
弦楽器のネックの中心部分で計測した弦３本の間隔または、２本の弦の間隔２つ分の幅である、
請求項１に記載の研磨用の器具。
【請求項５】
前記底面は、
２つの面のうち、１つ目の表面に紙やすりまたはダイヤモンドの粉が付着しているか、ヤスリといった研磨機能を有する、
請求項１に記載の研磨用の器具。
【請求項６】
前記２つの面のうちの２つ目の面は、底面の幅の中間地点にて、断面がT字を逆にした形で前記支柱と縦につながっている、
請求項５に記載の研磨用の器具。
【請求項７】
前記２つの面のうちの２つ目の面は、前記支柱を介して前記ハンドルとつながっている、
請求項６に記載の研磨用の器具。
【請求項８】
前記底面は、
前記ハンドルに弧を生じさせることによって弧を生じさせた底面である、
請求項７に記載の研磨用の器具。
【請求項９】
前記ハンドルの長手方向への圧縮により前記ハンドルに弧を生じさせる、
請求項８に記載の研磨用の器具。
【請求項１０】
請求項１〜９のいずれか１項に記載の研磨用の器具と、
弦楽器のナット付近の２本の弦の間程度の距離の本体と、前記本体上部から傾斜して設けられるレバーと、前記本体底面に設けられた２つの翼と、有する弦を持ち上げるための器具と、
を有する研磨用の器具セット。
【発明の詳細な説明】
【技術分野】
【０００１】
本発明は、弦楽器のフレット、フレットボードまたは指板の最適化に関する。
【背景技術】
【０００２】
弦楽器の弦をつま弾いたとき、弦は振動により特殊な波形を描く。ビビリ音や音詰まりのない、澄んだ音を出すためには、弦が触れる部分がこの弦の動きに沿った弧を描いている必要がある。最も低音を奏でる一番太い弦（ＦＩＧ４の１０番）は、もっとも大きな弧（ＦＩＧ４の１１番）を描く。したがって、この一番太い弦が描く弧がもっとも深い。そして、一番細い弦（ＦＩＧ４の１２番）が描く弧（ＦＩＧ４の１３番）はもっとも浅い。【０００３】
このように、徐々に弧の大きさを変えるという弦楽器の弦楽器のフレット（ＦＩＧ２７の６番）、フレットボード（ＦＩＧ２７の７番）または指板（ＦＩＧ２８の８番）の形状を実現させるための手作業での高精度の技術は公には知られていない。【０００４】
この器具は、器具自身の弧を正確に調整することができ、弦楽器のフレット、フレットボードまたは指板に適した弧の表面を研磨することで正確に造形する。この器具は弦を装着したまま、つまり、弦楽器において完璧なバランスを変えることなく作業ができるため、よい結果をもたらす。【０００５】
フレットを有する弦楽器において、フレットのすり合わせは、楽器がよく機能するためと流暢に演奏するために必要である。フレットの平均化は、常に、フレットの表面が可能な限り直線になるようにネックの調整を行った状態で行われてきた。【０００６】
平均化が行われた後は、弦の動きに報いるための軽いカーブをネックにつけるために、ネックを改めて調整する。さらに、フレットの平均化のための標準的な技術は、道具をフレットボードに到達させるためにコードを取り外すことを想定している。
【発明の概要】
【発明が解決しようとする課題】
【０００７】
解決しようとする問題点は、弦楽器のフレット、フレットボードまたは指板が正しい弧を描いていない等の間違った形状だと、ビビリ音や音詰まりが発生する。または、弦楽器のフレット、フレットボードまたは指板からの弦の高さが高くなり、演奏が困難になる。【０００８】
楽器の中には、ＦＩＧ２６の１番のエレキギターの、ＦＩＧ２６の５番のトラスロッドのような調整器具があるにもかかわらず、欠陥があり調整不能なものや、ＦＩＧ２７の２番のクラシックギターや、ＦＩＧ２８の３番のバイオリンのように、元来ネック（ＦＩＧ２６の４番）の弧を調整できないものがある。【０００９】
フレットのすり合わせのために使われる標準的な技術には２つの本質的な問題がある。ネックの調整はほとんど完璧ではないこと、そして、弦なしですり合わせを行うという誤った伝統である。楽器は弦が張っていないと、楽器本来のバランスではなく、後から弦を再装着すると、弦を張ることで、弦の張力が引き起こすネックの木による蛇が移動するときのような不規則な波形に似た予想外の変形が原因でネックの形状が変化し、楽器本来の状態ではなくなる。
【課題を解決するための手段】
【００１０】
本発明は、この器具の弧を正確に調整することができるため、それを用いて、弦楽器のフレット、フレットボードまたは指板に適した弧を造形することができる。
【発明の効果】
【００１１】
本発明は、弦楽器のフレットの完璧な平均化を達成することができる。主要な効果としては、３つある。１つ目は、作業後にネックの再調整が必要ではない。２つ目は、弦を装着した状態なので、使用中と同じバランスを保ったままでの平均化。３つ目は、作業中のいかなる瞬間でも、楽器を鳴らして経過を少しずつ確認することができる。以上が挙げられる。【００１２】
つまり、この器具は、楽器の性能を最適化し、澄んだ音を完成させ、演奏時の操作性を向上させる。
【図面の簡単な説明】
【００１３】
【図１】器具の実施形態の説明図
【図２】器具の実施形態の説明図
【図３】器具の実施形態の説明図
【図４】器具の実施形態の説明図
【図５】器具の実施形態の説明図
【図６】器具の使い方の説明図
【図７】器具の使い方の説明図
【図８】器具の使い方の説明図
【図９】付属品の説明図
【図１０】付属品の説明図
【図１１】器具の実施形態の説明図
【図１２】本発明をどのように使うかの例として使用する３種類の楽器の図
【図１３】器具の底面の形状の説明図
【発明を実施するための形態】
【００１４】
以下、本発明の実施の形態の例として５つを、図１〜図２９を使用しながら説明する。
【００１５】
本発明は研磨機能を基礎として有し、弦楽器のフレット、フレットボードまたは指板を造形するための研磨に使用する。
【００１６】
１つ目の例を記す。ＦＩＧ１は器具の正面図であり、この器具は本質的には３つの要素で構成される。
【００１７】
１つ目の要素は底面で、ＦＩＧ１の４番である。底面は横方向に水平（図２９−Ａ）またはくぼんで（図２９−Ｂ）いて、縦方向（長い方向）に変形させることができるようになっている。高さは、弦楽器のフレット、フレットボードまたは指板の作業を弦の下で行うのに適した高さである。幅は、器具を装着した際に、フレットボードの中心において、弦３本の間隔程度または、２本の弦の間隔２つ分である。長さは、ＦＩＧ４の１７番のナットからＦＩＧ４の１８番の最終フレットまでの長さ程度である。または、フレットボードまたは指板全体の縦方向における長さ程度である。ここでいう底面はＦＩＧ２の４番と同一である。底面の下表面部は、弦楽器のフレット、フレットボードまたは指板を造形するための研磨の手段として、紙ヤスリを貼り付けた状態またはダイヤモンドの粉、ヤスリ等、研磨機能を備えている。底面の両端は、ＦＩＧ１の９番のように上に向かって傾斜がついている。これにより、突っかからずに作業を行うことができ、紙ヤスリが貼られている等の場合、研磨中にはがれてしまうのを防ぐ役割もある。
【００１８】
２つ目の要素は垂直に配置された支柱で、ＦＩＧ１の３番である。底面の幅の中間地点に、底面の縦方向の長さと同じ長さの支柱の下部が底面と付着している。支柱の上部（底面と接している部分とは反対側）３つ目の要素と接している。
【００１９】
３つ目の要素はハンドルとしても使用することが可能な、細長い構造で、ＦＩＧ１の２番である。この細長い構造の柄は、自身の弧を変形させるための仕組みが内部に施されている。この仕組みによって生成された弧の両端がＦＩＧ２のＡとＢに相当する。弧はＦＩＧ２の４番、つまり、底面に向けて描かれる。
【００２０】
弧は、柄の構造のＦＩＧ２のＡとＢからの縦方向の圧縮によって生成される。この圧縮は、内部にあるＦＩＧ２の６番の棒を引っ張ることで生じる。この棒の一方の端は、柄の構造のＦＩＧ２のＡに固定されている。
【００２１】
もう一方の端は、ＦＩＧ２の１番のつまみにねじ込むため、柄の構造のＦＩＧ２のＢの外側に突き抜けている。このつまみをひねることで、棒が引っ張られ、それにより、柄の構造が押さえつけられる。計算された弧（非対称）を描かせるために、柄の構造は、特定の場所の強度を軽減しておく必要がある。特定の場所の強度を軽減する方法として、柄の構造から物質を除去する。ＦＩＧ２の５番の穴がその一例である。
【００２２】
ＦＩＧ１の４番の研磨面は、ＦＩＧ１の３番の支柱でしっかりと柄の構造に接しているため、柄の構造に弧を生じさせることで、研磨面にも同じ弧を生じさせる。
【００２３】
弦楽器を最適な状態にセットアップする。このとき、ＦＩＧ４の１６番のように、フレットが弦の摩擦で磨耗しすぎている部分がないかを確認する。磨耗しすぎているフレットがある場合は、まず、フレットの交換を行う必要がある。
【００２４】
ＦＩＧ２の１番のつまみをひねり、ＦＩＧ２の８番のガイド線を見ながら、ＦＩＧ２の２番の器具の底面（ＦＩＧ２の７番）に、弧を生じさせる。この具合は、これから調整しようとしている楽器の最も理想的な弧に合わせる。最も理想的な弧とは、ＦＩＧ４を例にした場合、最も太い弦の下に位置するＦＩＧ４の１４番の弧に相当する。
【００２５】
ＦＩＧ１２の４番のスペースを作るための付属品を弦の下に挿入し、弦を持ち上げる。最初に持ち上げる弦２本は、最も太い弦とその隣の弦を推奨する。
【００２６】
弦を持ち上げるための方法を次に記載する。ＦＩＧ１２の４番のスペースを作るための付属品は、ＦＩＧ２０の１番と同じもので、ＦＩＧ２０の２番の弦と弦の間に、ＦＩＧ２０の７番フレットボードに載せるよう垂直に差し込む。差し込む場所は、ＦＩＧ２０の３番のナットとＦＩＧ２０の４番の第一フレットの中間地点である。そして、ＦＩＧ２０−Ａの５番のレバー部分をＦＩＧ２０−Ｂのように、水平方向に９０度回転させる。ＦＩＧ２０−Ａの６番の翼には傾斜がついているため、弦の下にスライドすることで、弦が持ち上がる。もし、もうスペースに高さが欲しい場合は、ＦＩＧ２０−Ｃのように、レバーを持ち上げることでさらに弦を持ち上げることができる。ＦＩＧ２１とＦＩＧ２２はＦＩＧ２０と同じく弦を持ち上げてスペースを作るためのアクセサリーの別の形のものである。
【００２７】
２本の弦が持ち上がったら、２本の弦の間からＦＩＧ１２の２番の器具の底面を傾けて、ＦＩＧ１２の３番の支柱が弦に触れるまで挿入する。支柱が弦に触れたら、残りの底面を弦の下に入るよう、下げていく。そして、器具の先端がＦＩＧ１２の４番のスペースを作るための付属品の近くまで、移動する。これで、すべてのフレットをカバーする。
【００２８】
造形を開始するには、まず、ＦＩＧ１４の４番の器具を、ＦＩＧ１４の１番のように、前後に動かす。作業をする際、２２個のフレットがある楽器の場合、手はＦＩＧ１３の５番の１２番目のフレットに重なるよう、器具の上に軽く抑えるようにおく。そして、もう一方の手でネックの中心辺り（ＦＩＧ１３の６番）を下から支える。最初は、支柱の側面が左側の弦に触れる位置から開始し、前後に動かしながら徐々に右にスライドさせ支柱の反対側の側面が右側の弦に触れるまで繰り返す。これにより、すべてのフレットの高さが規則的になる。これにより、的確な調整が行えるようになる。
【００２９】
的確な調整とは、Ｘ字方向への作業である。まず、ＦＩＧ１４の４番の器具を、ＦＩＧ１４の２番の矢印のように、左上から右下、右下から左上に数回動かす。次に、ＦＩＧ１４の３番の矢印のように、右上から左下、左下から右上にかけて数回動かす。このＸ字方向への動きを１セットとし、１セット終わるごとに、器具を外してＦＩＧ１４の６番のフレットを確認し、すべてのフレット上に研磨した跡が見られるようになるまで繰り返す。この状態になったら、この弦のエリアでの作業は終了である。
【００３０】
次の２本の弦に移る前に、器具の弧を調整する。弧のカーブは、最も太い弦の下に位置する弧よりも小さくなる。弦楽器のフレット、フレットボードまたは指板の弧は、最も太い弦から最も細い弦の方向に行くにしたがって、徐々に弧が小さくなり、最終的にはＦＩＧ４の１５番のように、ほぼまっすぐになるため、場所や対象弦楽器によって弧の大きさを調整する。
【００３１】
器具の弧の調整、弦を持ち上げ器具の挿入、Ｉ字、Ｘ字方向への研磨をすべての弦間にて行う。
【００３２】
実施形態の例２つ目を以下に記す。
【００３３】
基本的な構造は、１つ目の例のＦＩＧ５と似ているため、異なる点のみ記載する。
【００３４】
１つ目の例と違う点は、非対称の弧を描かせるために柄の特定の場所の強度を軽減させていない。そのため、ＦＩＧ６の６のハンドルを使って底面が描く弧は、対象である。
【００３５】
非対称の弧を描くために、もう１つの装置（ＦＩＧ６の４）が付いている。
【００３６】
ＦＩＧ６の４ の装置の長さは本体よりも短く、外側からはめ込むことができ、ＦＩＧ６の３のような端にある４つの突起でＦＩＧ６の５の柄をを下から支えるようになっている。
【００３７】
ＦＩＧ６の１のネジをまわして、雌ねじ の役割を果たすＦＩＧ６の２を付きぬけて中に入れ込むことで、ＦＩＧ６の５の柄を押し込む力が働き、ＦＩＧ６の６のハンドルで作った対象的な弧を非対称な弧へと変化させる。
【００３８】
ＦＩＧ６の４の装置は１つ以上設置することが可能である。
【００３９】
実施形態の例３つ目を以下に記す。
【００４０】
この例における道具は、弦楽器のフレット（ＦＩＧ１５の４番）と弦の間を機敏に動くことができる程度の適当な厚みのわずかに柔軟性のある細長い底面（ＦＩＧ７の１番）で構成される。
【００４１】
この例では、底面の長さは、フレットボード程度で、幅は３本の弦の間の距離程度である。
【００４２】
底面のひとつの面は、粘着力のある紙ヤスリまたは研磨を目的とする同等のものを受け入れるのに適している。
【００４３】
反対側の面は、面の幅の中間地点で、垂直に同じ長さのＦＩＧ７の１１番の支柱に接している、または、面の幅の中間で固い支えに固定された２つの点と調整のためのレバーが押す中ほどの２点からなる４つの支柱（ＦＩＧ８のＢ）に接している。
【００４４】
支柱は、ＦＩＧ７の２番の固い支えに両端で、この例ではＦＩＧ７の１０番のようなネジ２本を通じて固定されており、それらはまた、固い支えを補強するＦＩＧ７の３番のブロックを固定し、支柱を抑止するのにも役立つ。
【００４５】
この例では、支柱をさらに固定するために、ＦＩＧ７の９番のようなガイドを追加することもできる。
【００４６】
底面の研磨面をアーチ状にするために、この例では、中央部分にここではＦＩＧ７の５番のような一本のネジからなる引っ張りで固定され、レバーと固い支えの間にあるＦＩＧ７の８番のようなそれぞれ二つの支点をもつ、ＦＩＧ７の４番の柔軟な一本のバーで形成されるＦＩＧ７のＡとＢの第一種てこのシステムが使われる。
【００４７】
この例では、ＦＩＧ７の７番のような溝の付いた小さなローラーでネジ（引っ張り）を引っ張ることで、ＦＩＧ７のＡとＢ２つのレバーに上下への動きを生み出し、それにより、ＦＩＧ７の４番のバーの中央部分が曲がる。
【００４８】
この方法で、レバーの反対側にある２つの両端が、固い支えから遠ざけるように支柱を押す。ＦＩＧ７の６番のようなワッシャーは、小さなローラーの動きをさらに滑らかにさせることができる。
【００４９】
支柱は両端で固い支えに固定されているので、支柱と底面は小さいローラーを締め付けた分だけアーチ状になる。このように、ＦＩＧ７の１１番の支柱とＦＩＧ７の１番の底面について、コントロールされた曲がり具合を獲得することができる。ＦＩＧ８のＢのような構成の底面でも同じことが起こる。出来上がったアーチは、４つの点から生み出されているため、正確で安定している。
【００５０】
以下、本発明の使いかたのひとつを説明する。
【００５１】
まず、ＦＩＧ１５の３番のトラスロッドがあればそれを使い、最良の状態に調整する。
【００５２】
道具の底面が弦に触れないよう、どのようなものでもよいが、たとえば、ＦＩＧ１５の１番のようなスペースを作る道具を、フレットボード上のナットの近辺の隣接した２本の弦の下に挿入
する。ＦＩＧ１５の２番の道具を２本の弦の間から挿入し、すべてのフレットを覆う。
【００５３】
ＦＩＧ１６の３番の小さいローラーで、ＦＩＧ１６の２番の底面の弧がＦＩＧ１６の1番のフレットボードの弧を真似るよう道具を調整する。
【００５４】
フレットを対角線上に交互に、高いフレットと低いフレットが平均化するよう、端からフレットボードのもう一方の端に向かって徐々に研磨する。
【００５５】
弦を外し、フレットの高さは変えずに角を丸めるよう仕上げを行う。
【００５６】
実施形態の例４つ目を以下に記す。
【００５７】
ＦＩＧ１０の器具は、フレットボードの一部分において作業をするのに適している。
【００５８】
長さはフレットボード上のフレット４つ分の距離以上である。
【００５９】
構成は３つ目の例に似ているが、長さが短い分、弧を描く仕組みが異なる。
【００６０】
FIG１０のB−１のネジをまわして雌ねじ の役割を果たすFIG１０のB−２を付きぬけて中に入れ込むことで、FIG１０のB−３のブロックを押しこむため、その力によってFIG１０のB−４の支柱が弧を描く。
【００６１】
実施形態の例５つ目を以下に記す。
【００６２】
ＦＩＧ１１の器具は、３つ目（ＦＩＧ７）と４つ目（ＦＩＧ１０）の例で記載した仕組みを合わせたものである。
【００６３】
器具全体に対象的な弧を描くためにＦＩＧ７の仕組み（ＦＩＧ１１のＢ−２）を使い、非対称の弧を描くためにＦＩＧ１０（ ＦＩＧ１１のＢ−１ ）の仕組みを使う。
【００６４】
フレットボードに適した弧に正しく調整するためのアクセサリーがＦＩＧ１８である。３つまたは３つ以上使うことで正しい弧に調整することができる。
【００６５】
フレットボード上に縦方向、ＦＩＧ１８−Ｃのように弦と弦の間に設置する。フレットボードの磨耗していない部分（ＦＩＧ１７−２）に正しく設置できるよう、テントのような形状で４本足で自立するような設計になっている。
【００６６】
高さはすべて同じで、てっぺん（ＦＩＧ１７−１）に器具が乗るようになっている。器具の調整をしている最中に、配置したすべてのアクセサリーに器具の底面が触れると、器具が正しい弧を描いているということになる
【００６７】
このアクセサリーは、ＦＩＧ１９のように２つがフレットボードの両端に、最低でも１つが、それら２つの中間辺りになるように配置する。
【００６８】
ＦＩＧ２４は器具の底面の例の１つである。底面は縦方向に研磨機能を持つ素材（ＦＩＧ２４−２）と滑り止めの機能を持つ素材（ＦＩＧ２４−１）が混在する場合もある。
【００６９】
混在することで、フレットボード上の一部のみを研磨する際に、ＦＩＧ２５−３やＦＩＧ２５−６のフレットには触れず、ＦＩＧ２５−２の研磨面が ＦＩＧ２５−１のフレットにのみ触れているように必要な部分のみ（ＦＩＧ２５−１）研磨することができる。 
【符号の説明】
【００７０】
ＦＩＧ１  器具の実施形態のひとつを正面から見た図
ＦＩＧ２  器具の実施形態のひとつを側面から見た図
ＦＩＧ３  器具の実施形態のひとつを分解図
ＦＩＧ４  標準的なフレットボード 
ＦＩＧ５  器具の実施形態のひとつをななめから見た図
ＦＩＧ６  器具の実施形態のひとつをななめから見た図と一部装置の分解図
ＦＩＧ７  器具の実施形態のひとつを分解した状態の側面図 
ＦＩＧ８  器具の実施形態のひとつを分解した状態の正面図
ＦＩＧ９  器具の実施形態のひとつを組み立てた状態の正面図
ＦＩＧ１０  器具の実施形態のひとつの組み立てた状態の側面図と分解した状態の側面図
ＦＩＧ１１  器具の実施形態のひとつの組み立てた状態の側面図と分解した状態の側面図
ＦＩＧ１２  フレットボードの透視図および弦と弦の間からの器具挿入図
ＦＩＧ１３  楽器上で器具の実施形態のひとつを使用しているときの側面図
ＦＩＧ１４  楽器上で器具の実施形態のひとつを使用しているときの平面図 
ＦＩＧ１５  器具の実施形態のひとつを楽器に設置した状態の挿入図 
ＦＩＧ１６  器具の実施形態のひとつの使用図 
ＦＩＧ１７  フレットボード
ＦＩＧ１８  弧の状態を確認するための計測用アクセサリー
ＦＩＧ１９  弧の状態を確認するための計測用アクセサリーの設置図
ＦＩＧ２０  付属品の使用方法を示した図
ＦＩＧ２１  付属品の使用方法を示した図
ＦＩＧ２２  付属品の使用方法を示した図
ＦＩＧ２３  器具の実施形態のひとつを楽器に設置した状態の挿入図 
ＦＩＧ２４  器具の実施形態のひとつの底面図 
ＦＩＧ２５  器具の実施形態のひとつの底面だけの説明図
ＦＩＧ２６  エレキギターの図
ＦＩＧ２７  クラッシックギターの図
ＦＩＧ２８  ヴァイオリンの図
ＦＩＧ２９  ２種類の底面の側面図
【図１】
0005938783.tif 000002
【図２】
0005938783.tif 000003
【図３】
0005938783.tif 000004
【図４】
0005938783.tif 000005
【図５】
0005938783.tif 000006
【図６】
0005938783.tif 000007
【図７】
0005938783.tif 000008
【図８】
0005938783.tif 000009
【図９】
0005938783.tif 000010
【図１０】
0005938783.tif 000011
【図１１】
0005938783.tif 000012
【図１２】
0005938783.tif 000013
【図１３】
0005938783.tif 000014